(57)【特許請求の範囲】
【請求項１】
電子機器であって、
第１筐体と、
前記第１筐体に対して相対的に回動可能に連結された第２筐体と、
前記第１筐体に設けられたディスプレイと、
前記第２筐体に設けられたプリント基板と、
前記ディスプレイと前記プリント基板とを接続するフレキシブル基板と、
を備え、
前記第２筐体内において、前記フレキシブル基板は、順に並んで互いに逆向きに湾曲した第１及び第２の折返し部を有し、
前記フレキシブル基板は、前記第１の折返し部では外周側に位置し、前記第２の折返し部では内周側に位置する表面に、前記プリント基板に対する接続部を有する
ことを特徴とする電子機器。
【請求項２】
請求項１に記載の電子機器であって、
さらに、前記第２筐体に相対的に固定され、前記第２の折返し部と前記接続部との間で前記フレキシブル基板を保持するホルダ部材を備えることを特徴とする電子機器。
【請求項３】
請求項１又は２に記載の電子機器であって、
前記第２筐体は、上面にキーボードを有し、後側面に前記第１筐体がヒンジを介して連結されたものであり、
前記フレキシブル基板は、前記第２筐体の前記後側面に形成された開口部から前記第２筐体内へと前方に向かって挿入された後、下方且つ後方に向かって円弧状に折り返されることで前記第１の折返し部が形成され、さらに下方且つ前方に向かって円弧状に折り返されることで前記第２の折返し部が形成されており、
前記プリント基板は、前記第２筐体の前記上面を形成する上カバー材に対して相対的に固定されると共に、前記フレキシブル基板の前記接続部が接続される被接続部が下向きに設けられ、
前記フレキシブル基板は、前記接続部が上向きに設けられていることを特徴とする電子機器。
【請求項４】
請求項１〜３のいずれか１項に記載の電子機器であって、
前記ディスプレイとして、
前記第１筐体の背面に臨んで映像を表示する第１のディスプレイ部が設けられた第１のディスプレイと、
前記第１筐体の正面に臨んで映像を表示する第２のディスプレイ部が設けられた第２のディスプレイと、
を有し、
前記プリント基板として、
前記第１のディスプレイ部の制御用の第１のディスプレイ基板と、
前記第２のディスプレイ部の制御用の第２のディスプレイ基板と、
を有し、
前記フレキシブル基板として、
前記第１のディスプレイ部と前記第１のディスプレイ基板とを接続する第１のディスプレイ用フレキシブル基板と、
前記第２のディスプレイ部と前記第２のディスプレイ基板とを接続する第２のディスプレイ用フレキシブル基板と、
を有することを特徴とする電子機器。
【請求項５】
請求項４に記載の電子機器であって、
前記第１のディスプレイは、さらに、タッチ操作を受け付ける第１のタッチパネル部を有し、
前記プリント基板として、さらに、前記第１のタッチパネル部の制御用の第１のタッチパネル基板を有し、
前記フレキシブル基板として、さらに、前記第１のタッチパネル部と前記第１のタッチパネル基板とを接続する第１のタッチパネル用フレキシブル基板を有する
ことを特徴とする電子機器。
【請求項６】
請求項５に記載の電子機器であって、
前記第２のディスプレイは、さらに、タッチ操作を受け付ける第２のタッチパネル部を有し、
前記プリント基板として、さらに、前記第２のタッチパネル部の制御用の第２のタッチパネル基板を有し、
前記フレキシブル基板として、さらに、前記第２のタッチパネル部と前記第２のタッチパネル基板とを接続する第２のタッチパネル用フレキシブル基板を有する
ことを特徴とする電子機器。
【請求項７】
請求項６に記載の電子機器であって、
前記第１及び第２のタッチパネル基板は、前記第２筐体内で互いに前後に並んで配置されることで、前記第２のタッチパネル基板が前記第１のタッチパネル基板よりも前記第２の折返し部から遠位側に配置され、
前記第１及び第２のタッチパネル用フレキシブル基板は、互いに重ねられた状態で前記第１及び第２の折返し部を形成しており、
前記第２のタッチパネル用フレキシブル基板は、前記第１のタッチパネル基板を越えて延在した延出部を有し、該延出部が前記第２のタッチパネル基板に接続されていることを特徴とする電子機器。
【請求項８】
請求項４〜７のいずれか１項に記載の電子機器であって、
前記第１及び第２のディスプレイ基板は、前記第２筐体内で互いに前後に並んで配置されることで、前記第２のディスプレイ基板が前記第１のディスプレイ基板よりも前記第２の折返し部から遠位側に配置され、
前記第１及び第２のディスプレイ用フレキシブル基板は、互いに重ねられた状態で前記第１及び第２の折返し部を形成しており、
前記第２のディスプレイ用フレキシブル基板は、前記第１のディスプレイ基板を越えて延在した延出部を有し、該延出部が前記第２のディスプレイ基板に接続されていることを特徴とする電子機器。
【請求項９】
請求項１又は２に記載の電子機器であって、
前記プリント基板は、第１及び第２のプリント基板の２枚が前記第２筐体の内部で互いに前後に並んで配置され、
前記フレキシブル基板は、第１及び第２のフレキシブル基板の２枚が重ねられた状態で前記第１及び第２の折返し部を形成しており、
前記第１のフレキシブル基板は、前記第１のプリント基板に接続され、
前記第２のフレキシブル基板は、前記第１のプリント基板を越えて延在した延出部を有し、該延出部が前記第２のプリント基板に接続されていることを特徴とする電子機器。
【発明の詳細な説明】
【技術分野】
【０００１】
本発明は、ディスプレイを備える電子機器に関する。
【背景技術】
【０００２】
ノート型ＰＣのような電子機器は、ディスプレイを搭載した第１筐体と、マザーボードを搭載した第２筐体とがヒンジで連結されている（例えば特許文献１参照）。
【先行技術文献】
【特許文献】
【０００３】
【特許文献１】特許第６６９８１４４号公報
【発明の概要】
【発明が解決しようとする課題】
【０００４】
ところで、上記特許文献１の構成は、ディスプレイの制御用の基板（ディスプレイ基板）を第１筐体のベゼル部材の内側に収納している。このため、ベゼル部材は、ディスプレイ基板の分だけ幅広になり、外観品質が低下する。
【０００５】
そこで、ディスプレイ基板を第２筐体内に収納し、ディスプレイとディスプレイ基板との間を第１筐体から第２筐体に亘るフレキシブル基板で接続することが考えられる。ところが、この構成では、ディスプレイ基板の分だけ第２筐体の薄型化や前後寸法が増大してしまう。特に、フレキシブル基板は、筐体間の回動動作に追従して柔軟に移動できる必要がある。このため、第２筐体内にはフレキシブル基板の移動スペースが必要となるため、ディスプレイ基板の配置スペースは最小限に抑えたい。
【０００６】
本発明は、上記従来技術の課題を考慮してなされたものであり、筐体の小型薄型化を可能とし、外観品質を向上させることができる電子機器を提供することを目的とする。
【課題を解決するための手段】
【０００７】
本発明の第１態様に係る電子機器は、電子機器であって、第１筐体と、前記第１筐体に対して相対的に回動可能に連結された第２筐体と、前記第１筐体に設けられたディスプレイと、前記第２筐体に設けられたプリント基板と、前記ディスプレイと前記プリント基板とを接続するフレキシブル基板と、を備え、前記第２筐体内において、前記フレキシブル基板は、順に並んで互いに逆向きに湾曲した第１及び第２の折返し部を有し、前記フレキシブル基板は、前記第１の折返し部では外周側に位置し、前記第２の折返し部では内周側に位置する表面に、前記プリント基板に対する接続部を有する。
【０００８】
さらに、前記第２筐体に相対的に固定され、前記第２の折返し部と前記接続部との間で前記フレキシブル基板を保持するホルダ部材を備える構成としてもよい。
【０００９】
前記第２筐体は、上面にキーボードを有し、後側面に前記第１筐体がヒンジを介して連結されたものであり、前記フレキシブル基板は、前記第２筐体の前記後側面に形成された開口部から前記第２筐体内へと前方に向かって挿入された後、下方且つ後方に向かって円弧状に折り返されることで前記第１の折返し部が形成され、さらに下方且つ前方に向かって円弧状に折り返されることで前記第２の折返し部が形成されており、前記プリント基板は、前記第２筐体の前記上面を形成する上カバー材に対して相対的に固定されると共に、前記フレキシブル基板の前記接続部が接続される被接続部が下向きに設けられ、前記フレキシブル基板は、前記接続部が上向きに設けられた構成としてもよい。
【００１０】
前記ディスプレイとして、前記第１筐体の背面に臨んで映像を表示する第１のディスプレイ部が設けられた第１のディスプレイと、前記第１筐体の正面に臨んで映像を表示する第２のディスプレイ部が設けられた第２のディスプレイと、を有し、前記プリント基板として、前記第１のディスプレイ部の制御用の第１のディスプレイ基板と、前記第２のディスプレイ部の制御用の第２のディスプレイ基板と、を有し、前記フレキシブル基板として、前記第１のディスプレイ部と前記第１のディスプレイ基板とを接続する第１のディスプレイ用フレキシブル基板と、前記第２のディスプレイ部と前記第２のディスプレイ基板とを接続する第２のディスプレイ用フレキシブル基板と、を有する構成としてもよい。
【００１１】
前記第１のディスプレイは、さらに、タッチ操作を受け付ける第１のタッチパネル部を有し、前記プリント基板として、さらに、前記第１のタッチパネル部の制御用の第１のタッチパネル基板を有し、前記フレキシブル基板として、さらに、前記第１のタッチパネル部と前記第１のタッチパネル基板とを接続する第１のタッチパネル用フレキシブル基板を有する構成としてもよい。
【００１２】
前記第２のディスプレイは、さらに、タッチ操作を受け付ける第２のタッチパネル部を有し、前記プリント基板として、さらに、前記第２のタッチパネル部の制御用の第２のタッチパネル基板を有し、前記フレキシブル基板として、さらに、前記第２のタッチパネル部と前記第２のタッチパネル基板とを接続する第２のタッチパネル用フレキシブル基板を有する構成としてもよい。
【００１３】
前記第１及び第２のタッチパネル基板は、前記第２筐体内で互いに前後に並んで配置されることで、前記第２のタッチパネル基板が前記第１のタッチパネル基板よりも前記第２の折返し部から遠位側に配置され、前記第１及び第２のタッチパネル用フレキシブル基板は、互いに重ねられた状態で前記第１及び第２の折返し部を形成しており、前記第２のタッチパネル用フレキシブル基板は、前記第１のタッチパネル基板を越えて延在した延出部を有し、該延出部が前記第２のタッチパネル基板に接続された構成としてもよい。
【００１４】
前記第１及び第２のディスプレイ基板は、前記第２筐体内で互いに前後に並んで配置されることで、前記第２のディスプレイ基板が前記第１のディスプレイ基板よりも前記第２の折返し部から遠位側に配置され、前記第１及び第２のディスプレイ用フレキシブル基板は、互いに重ねられた状態で前記第１及び第２の折返し部を形成しており、前記第２のディスプレイ用フレキシブル基板は、前記第１のディスプレイ基板を越えて延在した延出部を有し、該延出部が前記第２のディスプレイ基板に接続された構成としてもよい。
【００１５】
前記プリント基板は、第１及び第２のプリント基板の２枚が前記第２筐体の内部で互いに前後に並んで配置され、前記フレキシブル基板は、第１及び第２のフレキシブル基板の２枚が重ねられた状態で前記第１及び第２の折返し部を形成しており、前記第１のフレキシブル基板は、前記第１のプリント基板に接続され、前記第２のフレキシブル基板は、前記第１のプリント基板を越えて延在した延出部を有し、該延出部が前記第２のプリント基板に接続された構成としてもよい。
【発明の効果】
【００１６】
本発明の上記態様によれば、電子機器の筐体の小型薄型化を可能とし、外観品質を向上させることができる。
【図面の簡単な説明】
【００１７】
【図１】図１は、第１の実施形態に係る電子機器を上から見下ろした模式的な平面図である。
【図２】図２は、下カバー材を取り外した状態での電子機器の底面図である。
【図３】図３は、図２中のＩＩＩ−ＩＩＩ線に沿う第２筐体の模式的な断面斜視図である。
【図４Ａ】図４Ａは、筐体間の角度姿勢を０度に設定した状態での電子機器の後部を拡大した模式的な側面断面図である。
【図４Ｂ】図４Ｂは、筐体間の角度姿勢を６５度に設定した状態での電子機器の後部を拡大した模式的な側面断面図である。
【図４Ｃ】図４Ｃは、筐体間の角度姿勢を１３０度に設定した状態での電子機器の後部を拡大した模式的な側面断面図である。
【図５】図５は、第２の実施形態の電子機器を上から見下ろした模式的な平面図である。
【図６】図６は、図５に示す電子機器の下カバー材を取り外した状態での底面図である。
【図７】図７は、図６中のＶＩＩ−ＶＩＩ線に沿う第２筐体の模式的な断面斜視図である。
【図８】図８は、筐体間の角度姿勢を６５度に設定した状態での電子機器の後部を拡大した模式的な側面断面図である。
【発明を実施するための形態】
【００１８】
以下、本発明に係る電子機器について好適な実施の形態を挙げ、添付の図面を参照しながら詳細に説明する。
【００１９】
図１は、第１の実施形態に係る電子機器１０を上から見下ろした模式的な平面図である。図１に示すように、電子機器１０は、第１筐体１２と第２筐体１４とをヒンジ１６で相対的に回動可能に連結したクラムシェル型のノート型ＰＣである。電子機器１０は、筐体１２，１４間が０度姿勢（図４Ａ参照）と１３０度姿勢（図４Ｃ）との間で回動可能である。筐体１２，１４間の回動範囲は、１３０度以上でもよい。本発明に係る電子機器は、ノート型ＰＣ以外、携帯電話、スマートフォン、又は携帯用ゲーム機等でもよい。
【００２０】
以下、電子機器１０について、第１筐体１２を第２筐体１４に対して閉じて０度姿勢とした状態（図４Ａ参照）を基準とし、手前側を前、奥側を後、幅方向を左右、厚み方向を上下、と呼んで説明する。第１筐体１２については、図１のように開いてディスプレイ１８を視認する状態を基準とし、ディスプレイ１８の表示面側を正面、ディスプレイ１８の裏側を背面、ヒンジ１６側を下、ヒンジ１６側と逆側を上、と呼ぶこともある。
【００２１】
先ず、電子機器１０の全体構成を説明する。
【００２２】
第２筐体１４は、扁平な箱体である。第２筐体１４は、上面１４ａを形成する上カバー材２０と、下面（底面）１４ｂを形成する下カバー材２１（図４Ａ参照）と、を有する。第２筐体１４の前後左右の側面１４ｃは、上カバー材の四周縁部から起立した壁部によって形成されている。上面１４ａには、キーボード２４及びタッチパッド２５が設けられている。第２筐体１４の内部には、マザーボード２６やバッテリ装置２７（図２参照）の他、ＳＳＤ（Solid  State  Drive）、メモリ、アンテナ装置等の各種電子部品が収容されている。第２筐体１４の後側面１４ｃには、左右方向に延在した切欠き状の凹状部１４ｄが設けられている。凹状部１４ｄには、ヒンジ１６が配置される。
【００２３】
第１筐体１２は、第２筐体１４よりも薄い扁平な箱体である。ディスプレイ１８は、第１筐体１２の正面１２ａに設けられている。第１筐体１２は、背面１２ｂを形成する背面カバー材２８と、正面１２ａを形成する枠状のベゼル部材２９と、を有する。第１筐体１２の前後左右の側面１２ｃは、背面カバー材２８の四周縁部から起立した壁部によって形成されている。ディスプレイ１８は、正面１２ａに臨んで映像を表示するディスプレイ部１８ａと、タッチ操作のためのタッチパネル部１８ｂと、を有する。ディスプレイ部１８ａは、例えば有機ＥＬ（ＯＬＥＤ：Organic  Light  Emitting  Diode）や液晶で構成される。タッチパネル部１８ｂは、省略されてもよい。第１筐体１２は、図１中の下側面１４ｃにヒンジ１６が取り付けられている。
【００２４】
ヒンジ１６は、筐体１２，１４の後側面１２ｃ，１４ｃ間を連結している。本実施形態のヒンジ１６は、左右方向に延在した１本の長尺な構造である。ヒンジ１６は、例えば左右一対設けられてもよい。
【００２５】
次に、筐体１２，１４間の電気的な接続構造について説明する。図２は、下カバー材２１を取り外した状態での電子機器１０の底面図である。図３は、図２中のＩＩＩ−ＩＩＩ線に沿う第２筐体１４の模式的な断面斜視図である。図４Ａ、図４Ｂ、図４Ｃは、それぞれ筐体１２，１４間の角度姿勢を０度、６５度、１３０度に設定した状態での電子機器１０の後部を拡大した模式的な側面断面図である。図３では、第２筐体１４の上下を反転して図示すると共に、第１筐体１２の図示を省略している。
【００２６】
図２〜図４Ｃに示すように、電子機器１０は、ディスプレイ１８の制御用のプリント基板（ＰＣＢ：printed  circuit  board）として、ディスプレイ基板３０及びタッチパネル基板３１を第２筐体１４内に収容している。
【００２７】
ディスプレイ基板３０は、ディスプレイ部１８ａでの映像表示を制御するためのサブボードである。ディスプレイ基板３０はマザーボード２６と接続されており、後述する他のサブボードも同様にマザーボード２６と接続されている。ディスプレイ基板３０は、筐体１２，１４間に亘るフレキシブル基板３２を介してディスプレイ部１８ａと電気的に接続されている。フレキシブル基板３２は、例えば左右に並んだ２枚１組で用いられている。
【００２８】
タッチパネル基板３１は、タッチパネル部１８ｂの制御用のサブボードである。タッチパネル基板３１は、タッチパネル部１８ｂで検出されたタッチ操作に基づくアナログ信号を所定のデジタル信号に変換してマザーボード２６に送信する。タッチパネル基板３１は、筐体１２，１４間に亘るフレキシブル基板３３を介してタッチパネル部１８ｂと電気的に接続されている。フレキシブル基板３３は、例えば左右に並んだ２枚１組で用いられている。
【００２９】
基板３０，３１は、第２筐体１４の後部で上カバー材２０の内面に対して所定のブラケット等を介して固定され、下カバー材２１の内面に近い位置で水平に設置されている（図４Ａ参照）。フレキシブル基板３２，３３は、例えば可撓性を持った絶縁性フィルムを用い、薄く且つ柔軟に形成したフレキシブルプリント基板（ＦＰＣ：Flexible  printed  circuit）である。
【００３０】
図４Ａ〜図４Ｃに示すように、第１筐体１２の下側面（後側面）１４ｃには、ヒンジ取付部３４が設けられている。ヒンジ取付部３４は、正面１２ａから垂直に突出した部分である。ヒンジ取付部３４は、背面カバー材２８の下側面１２ｃを形成する部分と、ベゼル部材２９の下縁部から突出した部分とで顎状に形成され、左右方向に延在している。ヒンジ取付部３４は、先端側が第２筐体１４の凹状部１４ｄ内に配置され、凹状部１４ｄ内で回動可能である。フレキシブル基板３２，３３は、ヒンジ取付部３４を貫通するスリット状の開口溝３４ａを通って第１筐体１２外へと引き出された後、凹状部１４ｄを通して第２筐体１４内に引き込まれている。
【００３１】
第２筐体１４内において、フレキシブル基板３２（３３）は、先ず、下カバー材２１の内面付近から上カバー材２０の内面付近へと斜め上方に延在しつつ前方に延びている。続いて、フレキシブル基板３２（３３）は、上から下に向かって２回折り返されることでＳ字形状部３６を描いた後、再び下カバー材２１の内面に沿って前方に延びている。
【００３２】
Ｓ字形状部３６は、フレキシブル基板３２（３３）がディスプレイ１８から基板３０（３１）に向かう延在方向、つまりフレキシブル基板３２（３３）のディスプレイ１８側から基板３０（３１）側までの軌跡上で順に並んで設けられ、互いに逆向きに湾曲した２つの折返し部３６ａ，３６ｂで形成されている。ディスプレイ１８に近い側の折返し部３６ａは、前方に向かう方向から下方且つ後方に向かう方向に略半円を描いて折り返されている。基板３０（３１）に近い側の折返し部３６ｂは、折返し部３６ａの出口で後方に向かう方向から下方且つ前方に向かう方向に略半円を描いて折り返されている。
【００３３】
第２筐体１４は、凹状部１４ｄを形成する前壁が波形板１４ｅで形成されている。波形板１４ｅは、下カバー材２１の内面から上カバー材２０の内面付近へと斜め上方に延在しつつ前方に延びた波形状の板部である。波形板１４ｅは、その上端と上カバー材２０の内面との間にフレキシブル基板３２（３３）が通過する隙間を形成している。波形板１４ｅは、Ｓ字形状部３６の形状に沿った断面形状を有し、フレキシブル基板３２（３３）の移動を阻害することなく、Ｓ字形状部３６の形状を保持することができる。
【００３４】
フレキシブル基板３２（３３）は、折返し部３６ａでは円弧の外周側に位置し、折返し部３６ｂでは円弧の内周側に位置する表面３８に、基板３０（３１）に対する接続部３２ａ（３３ａ）を有する。つまり表面３８は、接続部３２ａ（３３ａ）が設けられた部分では上面である。接続部３２ａ（３３ａ）は、基板３０（３１）の下面に設けられた被接続部３０ａ（３１ａ）に接続されるコネクタ端子である。接続部３２ａ（３３ａ）は、表面３８から上向きに設置されている。図２及び図３中の参照符号３２ｂ（３３ｂ）は、フレキシブル基板３２（３３）に接続部３２ａ（３３ａ）を固定するための支持板である。
【００３５】
図２〜図４Ｃに示すように、第２筐体１４内には、ホルダ部材４０が設けられている。ホルダ部材４０は、アルミニウム等で形成された金属棒体であり、矩形の断面形状を有する。ホルダ部材４０は、ある程度の剛性が確保できれば樹脂製でもよい。ホルダ部材４０は、上カバー材２０の内面側にねじ４０ａで固定され、第２筐体１４と固定されている。ホルダ部材４０は、フレキシブル基板３２（３３）の折返し部３６ｂの内側に内包される位置に設けられている。ホルダ部材４０は、例えば２枚１組のフレキシブル基板３２に対して１本が横切るように設置され、２枚１組のフレキシブル基板３３に対して１本が横切るように設置されている（図２参照）。
【００３６】
ホルダ部材４０は、その下面４０ｂが両面テープ等の粘着剤４２を用いてフレキシブル基板３２（３３）の表面３８と固定されている。フレキシブル基板３２（３３）は、内部に金属線が配線されているため、弾性変形されたＳ字形状部３６では、常に各折返し部３６ａ，３６ｂが開いてしまう方向の反発力を発生している。つまりフレキシブル基板３２（３３）は、折返し部３６ｂから接続部３２ａ（３３ａ）までの前後方向に沿った部分が折返し部３６ｂを中心として、図４Ａ〜図４Ｃ中で下側に首振りする方向の反発力を生じている。ホルダ部材４０は、この部分と固定されることで、この首振り力を押さえ、接続部３２ａ（３３ａ）が被接続部３０ａ（３１ａ）から脱落することを防止している。
【００３７】
次に、本実施形態の電子機器１０での筐体１２，１４間の回動動作と作用効果を説明する。
【００３８】
図４Ａに示す０度姿勢では、電子機器１０は、第２筐体１４の上面１４ａに第１筐体１２の正面１２ａが対向した状態で互いに積層された収納形態となっている。この状態では、フレキシブル基板３２（３３）は、下向きに配置されたヒンジ取付部３４の開口溝３４ａによって後方に引き寄せられ、Ｓ字形状部３６が波形板１４ｅに沿って配置されている。図４Ａ〜図４Ｃ中の参照符号Ｃは、ヒンジ１６による筐体１２，１４間の回動中心を示している。また、図４Ａ〜図４Ｃ中の参照符号４３は、第２筐体１４の下面１４ｂに取り付けられたゴム脚である。
【００３９】
電子機器１０を使用する際には、第１筐体１２を開いて例えば９０度〜１３０度の間の角度姿勢に設定する。図４Ａに示す０度姿勢から第１筐体１２が開かれると、例えば図４Ｂに示す６５度姿勢までの間は、ヒンジ取付部３４の開口溝３４ａの出口の前後位置が次第に前方に移動し、フレキシブル基板３２（３３）が前方に押し込まれる。このため、フレキシブル基板３２（３３）は、第２筐体１４内でＳ字形状部３６が変形しつつ、折返し部３６ａが前方に移動する（図４Ｂ参照）。これによりフレキシブル基板３２（３３）は、筐体１２，１４間の回動動作時にディスプレイ１８と基板３０（３１）との相対距離が変化した場合であっても、この変化に柔軟に追従でき、断線等の不具合を生じることが抑制される。
【００４０】
図４Ｂに示す６５度姿勢から図４Ｃに示す１３０度姿勢までの間は、ヒンジ取付部３４の開口溝３４ａの出口の前後位置がほとんど変化せず、フレキシブル基板３２（３３）の形状もほとんど変化しない。このため、この間の角度変化時にもフレキシブル基板３２（３３）が不具合を生じることが抑制されている。なお、図４Ｃに示す１３０度姿勢から図４Ａに示す０度姿勢までの回動時の動作は、上記した開き動作と逆に動作するだけであるため、説明は省略する。
【００４１】
以上のように、本実施形態の電子機器１０は、第１筐体１２に設けられたディスプレイ１８と、第２筐体１４に設けられたプリント基板である基板３０（３１）と、ディスプレイ１８と基板３０（３１）とを接続するフレキシブル基板３２（３３）と、を備える。第２筐体１４内において、フレキシブル基板３２（３３）は、ディスプレイ１８から基板３０（３１）に向かう延在方向で順に並んで設けられ、互いに逆向きに湾曲した第１及び第２の折返し部３６ａ，３６ｂを有する。そして、フレキシブル基板３２（３３）は、折返し部３６ａでは外周側に位置し、折返し部３６ｂでは内周側に位置する表面３８に、基板３０（３１）に対する接続部３２ａ（３３ａ）を有する。
【００４２】
このように当該電子機器１０は、ディスプレイ１８と接続される基板３０（３１）をディスプレイ１８側の第１筐体１２ではなく、第２筐体１４に搭載している。このため、第１筐体１２は、可及的に小型薄型化でき、ベゼル部材２９を幅狭に構成できる。この際、電子機器１０は、２つの筐体１２，１４間に亘るフレキシブル基板３２（３３）が基板３０（３１）側の第２筐体１４内で２つの折返し部３６ａ，３６ｂによってＳ字形状部３６を形成している。これによりフレキシブル基板３２（３３）は、筐体１２，１４間の回動動作時のディスプレイ１８と基板３０（３１）との間の相対距離の変化に柔軟に追従できる。
【００４３】
さらに基板３０（３１）は、２つの折返し部３６ａ，３６ｂのうち、基板３０（３１）に近い側の折返し部３６ｂの内周側に位置する表面３８に接続部３２ａ（３３ａ）を有する。このため、基板３０（３１）は、第２筐体１４の厚み方向（上下方向）でＳ字形状部３６の内周側となる位置、つまりフレキシブル基板３２（３３）に形成されたＳ字形状部３６の高さ寸法の範囲に少なくとも一部を収めることができる。その結果、基板３０（３１）が、フレキシブル基板３２（３３）の高さ寸法を大きく越えて上下方向に突出し、第２筐体１４の薄型化を阻害することが抑制される。しかも基板３０（３１）は、これと近い側の折返し部３６ｂの円弧の内周を向いて配置されるため、基板３０（３１）は、第２筐体１４内での前後方向位置をＳ字形状部３６（折返し部３６ｂ）に可及的に近づけて配置することができる。これにより第２筐体１４の前後方向寸法が基板３０（３１）によって増大することも抑制できる。従って、電子機器１０は、各筐体１２，１４の小型薄型化が可能となり、外観品質が向上する。
【００４４】
当該電子機器１０は、第２筐体１４に相対的に固定され、折返し部３６ｂと接続部３２ａ（３３ａ）との間でフレキシブル基板３２（３３）を保持するホルダ部材４０を備える。これによりフレキシブル基板３２（３３）の折返し部３６ａ，３６ｂによって生じる反発力をホルダ部材４０で抑えることができ、フレキシブル基板３２（３３）の位置ずれや接続部３２ａ（３３ａ）の被接続部３０ａ（３１ａ）からの脱落を抑制できる。また、ホルダ部材４０は、筐体１２，１４間の回動時のフレキシブル基板３２（３３）の移動もサポートするため、接続部３２ａ（３３ａ）の脱落を一層抑制できる。
【００４５】
なお、ホルダ部材４０は、接続部３２ａ（３３ａ）が設置される表面３８の裏面に設けられてもよいが、この場合はフレキシブル基板３２（３３）の下側にホルダ部材４０の高さ分のスペースが必要となり、第２筐体１４の薄型化の障壁となってしまう。そこで、本実施形態では、ホルダ部材４０を表面３８側に設置することで、ホルダ部材４０が折返し部３６ｂの内周側のデッドスペースに収容できる。その結果、ホルダ部材４０が、第２筐体１４の薄型化を阻害することが抑制されている。また、ホルダ部材４０は、折返し部３６ｂと接続部３２ａ（３３ａ）との間に設けられることで、フレキシブル基板３２（３３）の伸縮性を阻害することもない。ホルダ部材４０の形状やフレキシブル基板３２（３３）の保持構造は変更してもよい。ホルダ部材４０は、省略してもよい。
【００４６】
当該電子機器１０は、基板３０（３１）の被接続部３０ａ（３１ａ）が下向きに設けられ、フレキシブル基板３２（３３）の接続部３２ａ（３３ａ）が上向きに設けられている。これにより第２筐体１４では、マザーボード２６等と共に基板３０（３１）等も上カバー材２０側に固定される。このため、第２筐体１４は、下カバー材２１を取り外すことで容易に内部のメンテナンスが可能である。この際、第２筐体１４では、接続部３２ａ（３３ａ）が上向きであることで、下カバー材２１を取り外すだけで引っ張るだけで、接続部３２ａ（３３ａ）を被接続部３０ａ（３１ａ）から容易に取り外すことができる。従って、電子機器１０は、基板３０（３１）が第２筐体１４に搭載されているにもかかわらずディスプレイ１８の交換も容易である。
【００４７】
図５は、第２の実施形態の電子機器１０Ａを上から見下ろした模式的な平面図である。第２の実施形態に係る電子機器１０Ａにおいて、上記第１の実施形態に係る電子機器１０と同一又は同様な機能及び効果を奏する要素には同一の参照符号を付し、詳細な説明を省略する。
【００４８】
図５に示すように、本実施形態の電子機器１０Ａは、第１筐体１２の正面１２ａに第１ディスプレイ４４を備え、さらに背面１２ｂにも第２ディスプレイ４５を備える（図７及び図８も参照）。第１ディスプレイ４４は、上記第１の実施形態のディスプレイ１８と同様な構成であり、正面１２ａに臨んで映像を表示するディスプレイ部１８ａ及びタッチパネル部１８ｂを備える。第２ディスプレイ４５は、ディスプレイ部１８ａ及びタッチパネル部４５ｂと同様に構成され、背面１２ｂに臨んで映像を表示するディスプレイ部４５ａ及びタッチパネル部４５ｂを備える。このように、電子機器１０Ａは、第１筐体１２の正面１２ａ及び背面１２ｂの両面にディスプレイ４４，４５を備えたデュアルディスプレイ構造である。
【００４９】
次に、電子機器１０Ａの筐体１２，１４間の電気的な接続構造について説明する図６は、図５に示す電子機器１０Ａの下カバー材２１を取り外した状態での底面図である。図７は、図６中のＶＩＩ−ＶＩＩ線に沿う第２筐体１４の模式的な断面斜視図である。図８は、筐体１２，１４間の角度姿勢を６５度に設定した状態での電子機器１０Ａの後部を拡大した模式的な側面断面図である。図７では、電子機器１０Ａの上下を反転して図示すると共に、第１筐体１２のタッチパネル部１８ｂ等の図示を省略している。
【００５０】
図６〜図８に示すように、電子機器１０Ａは、第１ディスプレイ４４の制御用のプリント基板（ＰＣＢ）としてディスプレイ基板３０及びタッチパネル基板３１を有し、第２ディスプレイ４５の制御用のプリント基板（ＰＣＢ）としてディスプレイ基板４６及びタッチパネル基板４７を有する。これら基板３０，３１，４６，４７は、全て第２筐体１４内に収容されている。
【００５１】
ディスプレイ基板４６は、第１ディスプレイ４４のディスプレイ基板３０と左右に並んで配置されている。ディスプレイ基板４６は、第２ディスプレイ４５のディスプレイ部４５ａでの映像表示を制御するためのサブボードである。ディスプレイ基板４６は、第１ディスプレイ４４のディスプレイ部１８ａと同様、筐体１２，１４間に亘るフレキシブル基板３２を介してディスプレイ部４５ａと電気的に接続されている。ディスプレイ部４５ａから延びたフレキシブル基板３２についても、第２筐体１４内でＳ字形状部３６が形成された後、その表面３８に設けられた接続部３２ａがディスプレイ基板４６の被接続部３０ａと接続される。
【００５２】
タッチパネル基板４７は、第１ディスプレイ４４のタッチパネル基板３１と前後方向に並んで配置されている。タッチパネル基板４７は、第２ディスプレイ４５のタッチパネル部４５ｂの制御用のサブボードである。タッチパネル基板４７は、タッチパネル部４５ｂで検出されたタッチ操作に基づくアナログ信号を所定のデジタル信号に変換してマザーボード２６に送信する。タッチパネル基板４７は、筐体１２，１４間に亘るフレキシブル基板４８を介してタッチパネル部４５ｂと電気的に接続されている。フレキシブル基板４８は、フレキシブル基板３３と同様、例えば左右の２枚１組で用いられている。
【００５３】
基板４６，４７についても、他の基板３０，３１と同様、第２筐体１４の後部で上カバー材２０の内面に対して所定のブラケット等を介して固定され、下カバー材２１の内面に近い位置で水平に設置されている（図８参照）。フレキシブル基板４８は、フレキシブル基板３３と同様、絶縁性フィルムを材料に使った薄く且つ柔軟なプリント基板（ＦＰＣ）である。
【００５４】
図８に示すように、前後に並んで配置された基板３１，４７に接続されるフレキシブル基板３３，４８は、互いに重ねて接着固定された状態で、ヒンジ取付部３４の開口溝３４ａを通って第１筐体１２外へと引き出された後、第２筐体１４内に引き込まれている。第２筐体１４内において、フレキシブル基板３３，４８は、互いに積層された状態のまま波形板１４ｅに沿って延在し、折返し部３６ａ，３６ｂからなるＳ字形状部３６を形成している。
【００５５】
このように積層されたフレキシブル基板３３，４８のうち、フレキシブル基板３３が折返し部３６ｂから近位側のタッチパネル基板３１に接続され、フレキシブル基板４８が折返し部３６ｂから遠位側のタッチパネル基板４７に接続される。そこで、図７及び図８に示すように、フレキシブル基板３３，４８は、折返し部３６ａではフレキシブル基板３３が円弧の外周側に配置され、フレキシブル基板４８が円弧の内周側に配置されるように積層されている。これによりフレキシブル基板３３，４８は、折返し部３６ｂではフレキシブル基板３３が円弧の内周側に配置され、フレキシブル基板４８が円弧の外周側に配置される。
【００５６】
従って、フレキシブル基板３３，４８は、Ｓ字形状部３６の基板３１，４７側の部分では、後側のタッチパネル基板３１に接続されるフレキシブル基板３３が上側に積層され、前側のタッチパネル基板４７に接続されるフレキシブル基板４８が下側に積層されている。
【００５７】
一方のフレキシブル基板３３は、上記第１の実施形態の場合と同様、上向きの表面３８に接続部３３ａを有し、接続部３３ａがタッチパネル基板３１の被接続部３１ａに接続される。
【００５８】
他方のフレキシブル基板４８は、一方のフレキシブル基板３３よりも長尺である。フレキシブル基板４８は、その先端側にフレキシブル基板３３が接続されるタッチパネル基板３１を越えて前方に延びた延出部４８ａを有する。フレキシブル基板４８は、延出部４８ａの表面５０に設けた上向きの接続部４８ｂがタッチパネル基板４７の下面に設けた下向きの被接続部４７ａに接続される。図６及び図７中の参照符号４８ｃは、フレキシブル基板４８に接続部４８ｂを固定するための支持板である。図示はしていないが、フレキシブル基板３３についても支持板３３ｂが設けられている。
【００５９】
電子機器１０Ａにおいてもホルダ部材４０を備えることが好ましい。積層されたフレキシブル基板３３，４８においても、ホルダ部材４０は、折返し部３６ｂの内側に内包される位置に設けられるとよい（図７及び図８参照）。このホルダ部材４０は、その下面４０ｂが粘着剤４２を用いて上層のフレキシブル基板３３の表面３８と固定されている。下層のフレキシブル基板４８は、上層のフレキシブル基板３３と固定されている。つまり下層のフレキシブル基板４８は、上層のフレキシブル基板３３を介してホルダ部材４０に保持されている。
【００６０】
本実施形態の電子機器１０Ａは、タッチパネル基板３１，４７と同様に、ディスプレイ基板３０，４６を前後に並べて配置した構成としてもよい（図８中にかっこ書きで示した「ディスプレイ基板３０，４６」、「フレキシブル基板３２，３２」、「接続部３２ａ，３２ａ」、「被接続部３０ａ，３０ａ」参照）。この場合にも、第１ディスプレイ４４のディスプレイ部１８ａに接続されたフレキシブル基板３２と、第２ディスプレイ４５のディスプレイ部４５ａに接続されたフレキシブル基板３２とは積層される。この構成では、ディスプレイ部１８ａに接続されたフレキシブル基板３２は、折返し部３６ｂから近位側のディスプレイ基板３０に接続される。ディスプレイ部４５ａに接続されたフレキシブル基板３２は、ディスプレイ基板３０を越えて前方に突出した延出部４８ａが折返し部３６ｂから遠位側のディスプレイ基板４６に接続される。なお、ディスプレイ基板３０，４６のみが前後並びで配置され、タッチパネル基板３１，４７が左右並びで配置された構成としてもよい。
【００６１】
当該電子機器１０Ａでは、２枚のディスプレイ４４，４５を備える。このため、電子機器１０Ａは、第２筐体１４内に各ディスプレイ４４，４５に対するディスプレイ基板３０，４６及びタッチパネル基板３１，４７を備える。このため、電子機器１０Ａでは、例えばタッチパネル基板３１，４７を前後並びで配置し、筐体１２，１４の左右方向寸法の増大している。また、前後に並んだタッチパネル基板３１，４７に接続されるフレキシブル基板３３，４８は、それぞれの同一方向（上方）を向いた表面３８，５０に接続部３３ａ，４８ｂを設けている。これにより電子機器１０Ａでは、タッチパネル基板３１，４７の影響で第２筐体１４の薄型化が阻害されない。また電子機器１０Ａでは、タッチパネル基板３１，４７を前後に密接して並べることができ、第２筐体１４の前後寸法に対する影響も最小限となっている。
【００６２】
なお、本発明は、上記した実施形態に限定されるものではなく、本発明の主旨を逸脱しない範囲で自由に変更できることは勿論である。
【００６３】
上記では、第２筐体１４内に形成されるＳ字形状部３６が上から下に向かう姿勢で配置された構成を例示したが、Ｓ字形状部３６は下から上に向かう姿勢で配置されてもよい。この場合、例えばタッチパネル基板３１では、被接続部３１ａが上向きに設置され、フレキシブル基板３３の接続部３３ａが下向きに設置されればよい。
【符号の説明】
【００６４】
１０，１０Ａ  電子機器
１２  第１筐体
１４  第２筐体
１６  ヒンジ
１８  ディスプレイ
１８ａ，４５ａ  ディスプレイ部
１８ｂ，４５ｂ  タッチパネル部
２４  キーボード
３０，４６  ディスプレイ基板
３０ａ，３１ａ，４７ａ  被接続部
３１，４７  タッチパネル基板
３２，３３，４８  フレキシブル基板
３２ａ，３３ａ，４８ｂ  接続部
３６  Ｓ字形状部
３６ａ，３６ｂ  折返し部
４０  ホルダ部材
４４  第１ディスプレイ
４５  第２ディスプレイ
４８ａ  延出部
【要約】
【課題】筐体の小型薄型化を可能とし、外観品質を向上させることができる電子機器を提供する。
【解決手段】電子機器は、第１筐体と、前記第１筐体に対して相対的に回動可能に連結された第２筐体と、前記第１筐体に設けられたディスプレイと、前記第２筐体に設けられたプリント基板と、前記ディスプレイと前記プリント基板とを接続するフレキシブル基板と、を備える。前記第２筐体内において、前記フレキシブル基板は、順に並んで互いに逆向きに湾曲した第１及び第２の折返し部を有する。前記フレキシブル基板は、前記第１の折返し部では外周側に位置し、前記第２の折返し部では内周側に位置する表面に、前記プリント基板に対する接続部を有する。
【選択図】図４Ｃ【図１】
0006922037.tif 000002
【図２】
0006922037.tif 000003
【図３】
0006922037.tif 000004
【図４Ａ】
0006922037.tif 000005
【図４Ｂ】
0006922037.tif 000006
【図４Ｃ】
0006922037.tif 000007
【図５】
0006922037.tif 000008
【図６】
0006922037.tif 000009
【図７】
0006922037.tif 000010
【図８】
0006922037.tif 000011